(57)【特許請求の範囲】
【請求項１】
風暖マットの風路コネクタであって、
第一殻体と第二殻体を有し、
前記第一殻体に、第一進風口及び第一出風口が設けられ、前記第一進風口は供風装置と連結し、前記第一出風口は前記風暖マットの供風風管と連結することにより、前記第一殻体の内腔を暖風腔に形成し、
前記第二殻体は、前記第一殻体の外側に設けられ、
前記第二殻体と前記第一殻体との間に一つの空腔を有し、前記空腔は隔熱腔を形成し、
前記第二殻体に第二進風口が設けられ、前記第二進風口は前記隔熱腔と連通し、
前記第一進風口は前記供風装置の暖風出風口と連結し、前記第二進風口は前記供風装置の冷風出風口と連結することを特徴とする風路コネクタ。
【請求項２】
請求項１に記載の風路コネクタであって、
前記第一進風口に突起状の風管連接部が設けられ、前記風管連接部は前記供風風管と圧入嵌合することを特徴とする風路コネクタ。
【請求項３】
請求項２に記載の風路コネクタであって、
前記第二殻体に前記第一進風口に対応する風管取付口が設けられ、前記風管連接部は前記風管取付口を通って前記第二殻体から突出することを特徴とする風路コネクタ。
【請求項４】
請求項３に記載の風路コネクタであって、
前記風管連接部と前記風管取付口との間の隙間は、前記風暖マットの前記供風風管の壁の厚みより薄いことを特徴とする風路コネクタ。
【請求項５】
請求項１に記載の風路コネクタであって、
前記第一殻体の水平方向の断面形状は方形であり、
前記第一殻体の側壁に複数の前記第一出風口が同一水平面にあることを特徴とする風路コネクタ。
【請求項６】
風暖マットであって、
マット本体、前記マット本体内に配置される複数の供風風管、供風装置、及び請求項１〜５のいずれか一項に記載の風路コネクタを有することを特徴とする風暖マット。
【請求項７】
請求項６に記載の風暖マットであって、
前記マット本体内に、前記マット本体の幅方向に沿って主風暖通道が配置され、前記マット本体の長さ方向に沿って同じ長さの複数の支風暖通道が配置されることを特徴とする風暖マット。
【請求項８】
請求項７に記載の風暖マットであって、
前記風路コネクタは前記主風暖通道の中央部に配置され、前記複数の供風風管の一端をそれぞれ前記風路コネクタに接続し、もう一端を前記主風暖通道に沿ってそれぞれ対応する前記支風暖通道の中に入れることを特徴とする風暖マット。
【請求項９】
請求項６〜８のいずれか一項に記載の風暖マットであって、
前記供風装置の中に、第一ファン、第二ファン及び加熱器が配置され、
前記第一ファンは外部から空気を吸入し前記隔熱腔に吹きこみ、前記第二ファンは前記隔熱腔から空気を吸入し、前記加熱器を通って前記暖風腔に吹きこむことを特徴とする風暖マット。
【発明の詳細な説明】
【技術分野】
【０００１】
本発明はマット技術に属し、具体的には風路コネクタ及び風暖マットに関する。
【背景技術】
【０００２】
日常生活の中で、一番よく使われるベッド用加熱設備は、電気マット及び湯たんぽ式マットであるが、電気マットは漏電、局部加熱、電磁波放射等の恐れがあり、湯たんぽ式マットは漏水、詰まり、凍傷防止対策実施及び定期的なお湯の補充が必要である等、様々な不便さがある。
【０００３】
上記問題を解決する為、中国特許ＣＮ２０８７２５２６４Ｕは一種の冷暖風を利用する降温或いは加熱できる冷暖マットを公開した。マット、供風装置、マットの中に配置される供風管路、及び、マット、供風管路と供風装置を連結するコネクタにより構成される。
【０００４】
しかし、上述のコネクタの供風装置に近い部分の熱が高い一方、マットの表面からの距離が短い為、マットに横になったり表面を触ると、不快であったり、更にやけどをする恐れがある。
【発明の概要】
【０００５】
本発明の目的は一種の風暖マットの風路コネクタを提供し、上述の風路コネクタにより上記の技術問題を解決できる。
【０００６】
上記の目的を実現する為、本発明は下記の技術方案を採用する。
【０００７】
風暖マットの風路コネクタであって、
第一殻体と第二殻体を有し、
前記第一殻体に、第一進風口及び第一出風口が設けられ、前記第一進風口は供風装置と連結し、前記第一出風口は前記風暖マットの供風風管と連結することにより、前記第一殻体の内腔を暖風腔に形成し、
前記第二殻体は、前記第一殻体の外側に設けられ、
前記第二殻体と前記第一殻体との間に一つの空腔を有し、前記空腔は隔熱腔を形成することを特徴とする。
【０００８】
本発明の風暖マット及び風路コネクタは、第一殻体の内腔を暖風腔に形成し、第一殻体の外側に第二殻体が設けられ、又、第二殻体と第一殻体との間に隔熱腔を有する。隔熱腔は一つの空腔であり、暖風腔内の熱がマットの表面に伝わることを防ぎ、マット表面の加熱により不快感を感じたりやけどをする恐れがない。
【０００９】
一種の具体的な実施方式として、隔熱腔の中は中空である、或いは隔熱材質又は散熱材質を配置することが可能である。隔熱効果を高める為、隔熱腔を密封して真空処理を行うことが可能である。
【００１０】
さらに、前記第二殻体に第二進風口が設けられ、前記第二進風口は前記隔熱腔と連通し、
前記第一進風口は前記供風装置の暖風出風口と連結し、前記第二進風口は前記供風装置の冷風出風口と連結することを特徴とする。
【００１１】
本発明の風暖マットの風路コネクタは、第二殻体にある隔熱腔と連通する第二進風口を、供風装置の冷風出風口と連結し、供風装置から隔熱腔に暖風腔中の空気の温度より低い空気を吹きこみ続けることにより、第一殻体から隔熱腔に伝わる熱量を発散し、風路コネクタの表面の熱量を下げる。
【００１２】
前記第一進風口に突起状の風管連接部が設けられ、前記風管連接部は前記供風風管と圧入嵌合することを特徴とする。
【００１３】
本発明の風暖マットの風路コネクタは、第一進風口にある突起状の風管連接部により、マット内の供風風管を風路コネクタに取り付けることが可能であり、第一出風口との連結を簡単にできる。
【００１４】
一種の具体的な実施方式として、前記第二殻体に前記第一進風口に対応する風管取付口が設けられ、前記風管連接部は前記風管取付口を通って前記第二殻体から突出することを特徴とする。
【００１５】
さらに、前記風管連接部と前記風管取付口との間の隙間は、前記風暖マットの前記供風風管の壁の厚みより薄いことを特徴とする。
【００１６】
本発明の風暖マットの風路コネクタは、風管連接部と風管取付口との間の隙間が、風暖マットの供風風管の壁の厚みより薄いため、供風風管を風管連接部と風管取付口との間の隙間に差し込むときちんと固定されるようになる。
【００１７】
一種の具体的な実施方式として、前記第一殻体の水平方向の断面形状は方形であり、
前記第一殻体の側壁に複数の前記第一出風口が同一水平面にあることを特徴とする。
【００１８】
本発明の風暖マットの風路コネクタは、第一殻体の水平方向の断面形状が方形であることにより、第一殻体の側壁にある複数の第一出風口が第一進風口と近くなり、各第一出風口から排出される風量を均等にする。又、複数の第一出風口が同一水平面にあることにより、各供風風管を同一水平面から広げ、供風管路の占めるマット内の空間を減少できる。
【００１９】
本発明のもう一つの目的は、一種の風暖マットを提供する。
マット本体、前記マット本体内に配置される複数の供風風管、供風装置、及び前記風路コネクタを有する風暖マット。
【００２０】
一種の具体的な実施方式として、前記マット本体内に、前記マット本体の幅方向に沿って主風暖通道が配置され、前記マット本体の長さ方向に沿って同じ長さの複数の支風暖通道が配置されることを特徴とする。
【００２１】
さらに、前記風管連接部は前記主風暖通道の中央部に配置され、前記複数の供風風管の一端をそれぞれ上述の風管連接部に接続し、もう一端を前記主風暖通道に沿ってそれぞれ対応する支風暖通道の中に入れることを特徴とする。
【００２２】
本発明の風暖マットは、マット本体内に、マット本体の幅方向に沿って主風暖通道、マット本体の長さ方向に沿って同じ長さの若干の支風暖通道を配置し、又、風管連接部を主風暖通道の中央部に配置することにより、各供風風管を、風路コネクタを中心とし前端と両側へ均等にマットの中へ広げ、各供風風管の排出の風量、熱及びマット各部の温度を均等にでき、寝心地が良くなる。
【００２３】
さらに、前記供風装置の中に、第一ファン、第二ファン及び加熱器が配置され、
前記第一ファンは外部から空気を吸入し前記隔熱腔に吹きこみ、前記第二ファンは隔熱腔から空気を吸入し、加熱器を通って暖風腔に吹きこむことを特徴とする。
【００２４】
より理解と実施する為、添付図を参照に本発明を詳しく説明する。
【図面の簡単な説明】
【００２５】
【図１】本発明実施例の風路コネクタの構造図である。
【図２】本発明実施例の風路コネクタの断面図である。
【図３】本発明実施例の風路コネクタの第一殻体の構造図である。
【図４】本発明実施例の風暖マットの構造図である。
【図５】本発明実施例の風暖マットの中の供風装置の構造図である。
【図６】本発明実施例の供風装置及び風路コネクタ中の風の流れ方向を示す図である。
【発明を実施するための形態】
【００２６】
本発明をより詳しく説明する為、添付図面を参考に更に詳しく説明する。
【実施例１】
【００２７】
図１〜図３の通り、一種の風暖マットの風路コネクタは下記構造を有する。
第一殻体１０と第二殻体２０を有し、
第一殻体１０に第一進風口１０１及び第一出風口１０２が設けられ、第一進風口１０１は供風装置と連結し、第一出風口１０２は風暖マットの供風風管と連結することにより、第一殻体の内腔を暖風腔１０３に形成し、
第二殻体２０は第一殻体１０の外側に設けられ、
第二殻体２０と第一殻体１０との間に一つの空腔を有し、空腔は隔熱腔２０１を形成する。
【００２８】
本実施例の風暖マットの風路コネクタは、第一殻体に第一進風口及第一出風口が設けられ、第一進風口は供風装置と連結し、第一出風口は風暖マットの供風風管と連結することにより、第一殻体の内腔を暖風腔に形成する。また、第一殻体の外側に第二殻体が設けられ、第二殻体と第一殻体との間にある一つの空腔は、隔熱腔になり、暖風腔内の熱がマットの表面に伝わることを防ぎ、マット表面の加熱により不快感とやけどの恐れがない。
【００２９】
具体的に、隔熱腔２０１或いは隔熱材質、又は散熱材質を配置することが可能である。隔熱効果を良くする為、隔熱腔２０１を密封と真空処理を行うことが可能である。
【００３０】
説明する必要があるのは、図３に示す通り、本実施例の第一殻体１０の外壁に複数の支え塊１０４が配置される。図２に示す通り、第一殻体１０を第二殻体２０の内側に付ける際、支え塊１０４は第二殻体２０の内壁と接触し、第二殻体２０と第一殻体１０の間に一つの空腔ができる。
【００３１】
好ましくは、図３の通り、第一進風口１０１に突起状の風管連接部１０５が設けられ、風管連接部１０５は供風風管と圧入嵌合する。
【００３２】
本実施例の風暖マットの風路コネクタは、第一進風口にあった突起状の風管連接部により、マット内の供風風管を風路コネクタに付けることが可能であり、第一出風口との連結を簡単にできる。
【００３３】
具体的に、図１に示す通り、第二殻体２０に第一出風口１０２に対応する風管取付口１０６が設けられ、風管連接部１０５は風管取付口１０６を通って第二殻体２０から突出する。
【００３４】
好ましくは、図２に示す通り、風管連接部１０５と風管取付口１０６との間の隙間Ａは、風暖マットの供風風管の壁の厚みより薄い。
【００３５】
本実施例の風暖マットの風路コネクタは、風管連接部と風管取付口との間の隙間は、風暖マットの供風風管の壁の厚みより薄いことにより、供風風管を風管連接部と風管取付口との間の隙間に差し込むときちんと固定されるようになる。
【００３６】
説明する必要があるのは、本実施例の第二殻体２０は、上、下二つの殻体により構成され、上、下殻体に半円穴がある。据え付けの際、供風風管を風管連接部１０５に付け、上、下殻体を第一殻体に被せることにより、上、下殻体の半円穴を供風風管に挟み、風管取付口１０６を形成する。
【００３７】
具体的に、第一殻体１０の水平方向の断面形状は方形であり、第一殻体１０の側壁に複数の第一出風口１０２が同一水平面にある。
【００３８】
本実施例の風暖マットの風路コネクタは、第一殻体の水平方向の断面形状が方形であることにより、第一殻体の側壁にある複数の第一出風口が第一進風口と近くなり、各第一出風口から排出する風量を均等にできる。又、複数の第一出風口が同一水平面にあることにより、各供風風管を同一水平面から広げ、供風管路の占めるマット内の空間を減少できる。
【００３９】
本実施例のもう一つの目的は一種の風暖マットを提供する。下記の部品により構成される。
【００４０】
図４に示す通り、マット本体１、マット本体１に配置される複数の供風風管２、供風装置３、及び風路コネクタ４により構成される。
【００４１】
具体的には、マット本体１内に、マット本体の幅方向に沿って主風暖通道１１が配置され、マット本体の長さ方向に沿って同じ長さの複数の支風暖通道１２が配置される。
【００４２】
好ましくは、風路コネクタ４は主風暖通道１１の中部の中央部に配置され、複数の供風風管２の一端をそれぞれ上述の風路コネクタ４に接続し、もう一端を主風暖通道１１に沿ってそれぞれ対応の支風暖通道１２の中に入れる。
【００４３】
本実施例の風暖マットは、マット本体内に、マット本体の幅方向に沿って主風暖通道を配置し、マット本体の長さ方向に沿って同じ長さの複数の支風暖通道を配置し、又、風管連接部を主風暖通道の中央部に配置することにより、各供風風管を、風路コネクタを中心とし前端と両側へ均等にマットの中に広げ、各供風風管の排出される風量、熱及びマット各部の温度を均等にでき、寝心地が良くなる。
【００４４】
説明する必要があるのは、本実施例の供風風管２に多数の供風小穴が均等的に配置される点である。
【実施例２】
【００４５】
本実施例と実施例１は下記の違いがある。
【００４６】
第二殻体２０に第二進風口２０２が設けられ、第二進風口２０２は隔熱腔２０１に連通する。
【００４７】
図５の通り、その中に、供風装置３に暖風出風口３０３が設けられ、第一進風口１０１に連結する。
【００４８】
供風装置３に冷風出風口３０１が設けられ、第二進風口２０２に連結する。
【００４９】
説明する必要があるのは、図１の通り、第二殻体２０は一つの風口面板２０３を有し、第二進風口２０２は風口面板２０３に配置され、隔熱腔２０１に直接連結する。風口面板２０３にもう一つの開口があり、第一進風口１０１に密封して連結する。
【００５０】
又、風口面板２０３に第二出風口２０４が配置され、第二進風口２０２から隔熱腔２０１に進入した空気は第二出風口２０４から排出することにより、隔熱腔２０１の内に順調な風の流れが形成される。
【００５１】
本実施例の風路コネクタは、第二殻体にある隔熱腔と接続する第二進風口を、供風装置の冷風出風口と連結し、供風装置から隔熱腔に暖風腔中の空気の温度より低い空気を吹きこみ続けることにより、第一殻体から隔熱腔に伝わる熱量を発散し、風路コネクタの表面の熱を下げる。
【００５２】
説明する必要があるのは、供風装置３は隔熱腔２０１に送風する第一ファン、暖風腔１０３に送風する第二ファンを有する。
【実施例３】
【００５３】
本実施例と実施例２は下記の違いがある。
【００５４】
供風装置３に第一ファン、第二ファンと加熱器３０４がある。
その中で、第一ファンは外部から空気を吸入し隔熱腔２０１に吹きこむ。第二ファンは隔熱腔２０１から空気を吸入し、加熱器を通じて暖風腔１０３に吹きこむ。
【００５５】
本実施例の風暖マットは、その供風装置の第一ファンは先ず外部から空気を吸入して隔熱腔に吹きこみ、ここで、外部の空気は通常常温或いは低温状態である為、隔熱腔を通った際、隔熱腔内の熱量を吸収し、即ちこの部分の空気は隔熱腔を通った際予熱される。第二ファンがこの予熱された部分の空気を吸入し、加熱器で加熱した後暖風腔に吹きこむ。つまり、隔熱腔を通った空気は、第一殻体から隔熱腔に伝わる熱量を吸収すると同時に、隔熱腔中の熱によって予熱されることにより、送風装置中の加熱器はある程度出力のパワーを下げ、送風装置の消耗、電気代のコスト増を抑える。
【００５６】
説明する必要があるのは、理解に差し支えない限り、添付図面は供風装置３の内部構造図、第一ファンと第二ファンの構造図を含んでいない。
【００５７】
図５に示す通り、供風装置３に冷風出風口３０１、冷風出風口３０２と暖風出風口３０３がある。
【００５８】
その中で、冷風出風口３０１は第二殻体の第二進風口２０２に、冷風出風口３０２は第二殻体の第二出風口２０４に、暖風出風口３０３は第一殻体の第一進風口１０１に連結する。
【００５９】
又、お互いに矛盾しない限り、本領域の技術者は本説明書に記載された異なる実施例或いは示例、及びそれらの特徴を整合する可能性がある。
【００６０】
本明細書の記載内容に、説明する必要があるのは、用語“縦向”、“横向”、“前”、“後”、“左”、“右”、“縦直”、“水平”、“頂”、“底”、“内”、“外”等指示の方位或いは位置関係は添付図の方位或いは位置関係に基づき、本発明の説明を簡単に説明するためのみに使用され、該当の装置或いは元件は必ず特定の方位、特定の方位構造及び操作を有することを指示或いは暗示することではない為、本発明の保護内容を制限すると見られない。
【００６１】
本文に“第一”、“第二”という表現により部品を制限する場合、この表現は、本発明の説明を簡単にするためのみに使用され、追加説明しない限り、特別な意味がないことを本領域の技術者は理解すべきである。
【００６２】
本発明は上述の実施方式に制限されることではない。本発明に対する各改造或いは形状変更は本発明の思想及び範囲、特許請求の範囲及び同等技術範囲以内にある場合、本発明はこの改造或いは形状変更を行う傾向があると認められる。
【図１】
0006854540.tif 000002
【図２】
0006854540.tif 000003
【図３】
0006854540.tif 000004
【図４】
0006854540.tif 000005
【図５】
0006854540.tif 000006
【図６】
0006854540.tif 000007